(57)【要約】【課題】ブラックインクにより印字された文字の画質を高めることのできる画像記録装置を提供する。【解決手段】画像記録装置は、記録媒体を搬送する搬送装置と、光硬化性のインクを吐出する複数の単位ヘッドを、搬送方向に直交する方向に沿って配列してなる複数の記録ヘッドとを備えている。複数の記録ヘッドのうち、少なくとも１つの記録ヘッドはブラック用記録ヘッドであり、ブラック用記録ヘッド以外の記録ヘッドはカラー用記録ヘッドである。搬送方向におけるブラック用記録ヘッドの下流側に全てのカラー用記録ヘッドが配置されている。ブラック用記録ヘッドの下流側には、ブラックインクに対して光を照射し、硬化させる第１光照射装置が配置されている。最下流に位置するカラー用記録ヘッドの下流側には、カラーインク及びブラックインクに対して光を照射し、硬化させる第２光照射装置が配置されている。【選択図】        図２
2004284309.tif 000002
【特許請求の範囲】
【請求項１】
記録媒体を搬送する搬送装置と、
光硬化性のインクを前記記録媒体に向けて吐出する複数の単位ヘッドを、前記記録媒体の搬送方向に直交する方向に沿って配列してなる複数の記録ヘッドとを備え、
前記複数の記録ヘッドのうち、少なくとも１つの前記記録ヘッドは、ブラックインクを吐出するブラック用記録ヘッドであり、前記ブラック用記録ヘッド以外の前記記録ヘッドは、カラーインクを吐出するカラー用記録ヘッドであり、
前記複数の記録ヘッドは、前記搬送方向における前記ブラック用記録ヘッドの下流側に全ての前記カラー用記録ヘッドが配置されるように、前記搬送方向に沿って配列され、
前記ブラック用記録ヘッドの下流側に、前記記録媒体に着弾した前記ブラックインクに対して光を照射し、前記ブラックインクを硬化させる第１光照射装置が配置されるとともに、
前記全てのカラー用記録ヘッドのうち、最下流に位置する前記カラー用記録ヘッドの下流側に、前記記録媒体に着弾した前記カラーインク及び前記ブラックインクに対して光を照射し、前記カラーインク及び前記ブラックインクを硬化させる第２光照射装置が配置されることを特徴とする画像記録装置。
【請求項２】
請求項１記載の画像記録装置において、
前記第２光照射装置の方が、前記第１光照射装置よりも大きい光エネルギーの光を照射することを特徴とする画像記録装置。
【発明の詳細な説明】
【０００１】
【発明の属する技術分野】
本発明は、画像記録装置に係り、特に光硬化性のインクを使用した画像記録装置に関する。
【０００２】
【従来の技術】
近年、グラビア印刷方式やフレキソ印刷方式などの製版を必要とする方式に比較して、簡便にかつ安価に画像を形成することができるという理由から、インクジェット記録方式による画像記録装置が多く用いられるようになってきている。また、このようなインクジェット方式による画像記録装置を用いて商品や商品の包装に画像記録を行う分野では、商品や商品の包装に、樹脂や金属などのインク吸収性のない材料を用いることが多い。そして、このようなインク吸収性のない材料を記録媒体として用い、この記録媒体に対してインクを定着させるために、光硬化性インクを用い、このインクを記録媒体に吐出した後、例えば、紫外線などの光を照射してインクを硬化定着させる光硬化式の画像記録装置が知られている（例えば、特許文献１参照）。
【０００３】
この画像記録装置は、記録媒体を搬送する搬送ユニットが配設されており、この搬送ユニットによる記録媒体の搬送経路の上方には、光硬化性インクを吐出するライン方式の複数の記録ヘッドが搬送方向に沿って配列されている。また、この記録ヘッドにおける搬送方向の下流側には、記録ヘッドから吐出されたインクに対して光を照射してインクを硬化させる光照射装置が配設されている。
このような画像記録装置においては、搬送ユニットによって記録媒体を搬送させながら、所定の画像情報に応じて記録ヘッドから記録媒体に対してインクを吐出させ、その後、記録媒体に着弾したインクに対して光照射装置から光を照射することにより、インクを硬化させてこのインクを記録媒体に定着させるようになっている。
【０００４】
【特許文献１】
特開２００２−３４７２３２号公報
【０００５】
【発明が解決しようとする課題】
しかしながら、上記した画像記録装置であると、各記録ヘッドから光照射装置までの距離が、各記録ヘッド毎に異なってしまう。これにより各記録ヘッド毎に、着弾から光照射装置により光が照射されるまでの時間が異なることになって、着弾後のカラーインクとブラックインクとが硬化するまでに混ざってしまう可能性があった。特に、文字を記録媒体上に記録する場合においては、一般的にブラックインクによって文字が記録されるが、上記のようにカラーインクとブラックインクとが混ざってしまうと、カラー印字領域と重複する部分では黒文字のエッジ部分がぼけて滲んだ文字となり、文字の印字品質が低下し、印字品質上好ましくない。
【０００６】
本発明の課題は、ブラックインクにより印字された文字の画質を高めることのできる画像記録装置を提供することである。
【０００７】
【課題を解決するための手段】
請求項１記載の発明の画像記録装置は、
記録媒体を搬送する搬送装置と、
光硬化性のインクを前記記録媒体に向けて吐出する複数の単位ヘッドを、前記記録媒体の搬送方向に直交する方向に沿って配列してなる複数の記録ヘッドとを備え、
前記複数の記録ヘッドのうち、少なくとも１つの前記記録ヘッドは、ブラックインクを吐出するブラック用記録ヘッドであり、前記ブラック用記録ヘッド以外の前記記録ヘッドは、カラーインクを吐出するカラー用記録ヘッドであり、
前記複数の記録ヘッドは、前記搬送方向における前記ブラック用記録ヘッドの下流側に全ての前記カラー用記録ヘッドが配置されるように、前記搬送方向に沿って配列され、
前記ブラック用記録ヘッドの下流側に、前記記録媒体に着弾した前記ブラックインクに対して光を照射し、前記ブラックインクを硬化させる第１光照射装置が配置されるとともに、
前記全てのカラー用記録ヘッドのうち、最下流に位置する前記カラー用記録ヘッドの下流側に、前記記録媒体に着弾した前記カラーインク及び前記ブラックインクに対して光を照射し、前記カラーインク及び前記ブラックインクを硬化させる第２光照射装置が配置されることを特徴としている。
【０００８】
請求項１記載の発明によれば、第１光照射装置が、ブラック用記録ヘッドの下流側に配置されているので、記録媒体上に着弾したブラックインクは、カラーインクが吐出される以前に第１光照射装置によって光が照射され、硬化させられる。そして、第２光照射装置が全てのカラー用記録ヘッドのうち、最下流に位置するカラー用記録ヘッドの下流側に配置されているので、ブラックインクの硬化後に記録媒体上に着弾したカラーインクは、第２光照射装置によって光が照射され、硬化させられる。したがって、カラーインクとブラックインクとのそれぞれが混色することなく硬化することになり、ブラックインクにより印字された文字の画質を高めることができる。
【０００９】
請求項２記載の発明は、請求項１記載の画像記録装置において、
前記第２光照射装置の方が、前記第１光照射装置よりも大きい光エネルギーの光を照射することを特徴としている。
【００１０】
一般的にカラー画像は、例えばＹ（イエロー）、Ｍ（マゼンタ）、Ｃ（シアン）各色のインクや、Ｒ（レッド）、Ｇ（グリーン）、Ｂ（ブルー）各色のインク等のように複数色のカラーインクを用いることにより再現されている。つまり、カラー画像を再現する際には、ブラックインクよりもカラーインクの吐出量が相対的に多く、その分カラーインクを硬化させるには、ブラックインクの硬化に必要な光エネルギーよりも大きな光エネルギーの光を照射しなければならない。このため、請求項２記載の発明では、第２光照射装置の方が、第１光照射装置よりも大きい光エネルギーの光を照射するようになっているので、カラーインクを確実に硬化させることができる。
【００１１】
【発明の実施の形態】
以下、本発明の実施形態を、図１〜図６を参照して説明する。
図１は本発明に係る画像記録装置の実施の一形態を示したもので、この画像記録装置１の内部下方には、複数の記録媒体２を積層して収容する収容トレイ３が設けられている。この収容トレイ３の一端部上側には、画像を記録しようとする記録媒体２を一枚ずつ収容トレイ３から取り出す取出し装置５が設けられている。なお、記録媒体２としては、普通紙、再生紙、光沢紙等の各種紙、各種布地、各種不織布、樹脂、金属、ガラス等の材質からなるカットシート状の記録媒体２が適用可能である。
【００１２】
収容トレイ３の上方には、記録媒体２を搬送する搬送装置４が配設されている。この搬送装置４には、記録媒体２を平面状に支持して水平方向に搬送する環状の搬送ベルト４１が、複数の張設ローラ４２により回転自在に張設されている。また、搬送装置４には、搬送ベルト４１と記録媒体２とが接触を開始する位置に、記録媒体２を平面状に搬送させるために搬送ベルト４１に押圧する押圧ローラ４３が回転自在に設けられている。
【００１３】
画像記録装置１の側部には、画像が記録された記録媒体２を排出する排出トレイ９が設けられている。
画像記録装置１の内部には、収容トレイ３から供給された記録媒体２を、搬送ベルト４１へ搬送し、記録媒体２が搬送ベルト４１の周面に沿って搬送された後に、搬送ベルト４１から排出トレイ９へ排出させる搬送経路１０が設けられている。この搬送経路１０の所定位置には、搬送方向Ｘに記録媒体２を搬送するための複数対の搬送ローラ１１，１１…が設けられている。
【００１４】
また、搬送ベルト４１の上部近傍には、記録媒体２に対してインクを吐出する複数の記録ヘッド１３，１４，１５，１６が、それぞれ搬送ベルト４１の全幅にわたって設けられている。これら記録ヘッド１３，１４，１５，１６のうち、少なくとも１つの記録ヘッド１３は、ブラックインク（Ｂｋ）を吐出するブラック用記録ヘッドであり、それ以外の記録ヘッド１４，１５，１６は、シアン（Ｃ）、マゼンタ（Ｍ）、イエロー（Ｙ）の各色のカラーインクを吐出するカラー用記録ヘッドである。なお、カラーインクとしては、滅法混色の基本色Ｙ・Ｍ・Ｃ系インクをはじめ、各Ｙ・Ｍ・Ｃ系インク基本色の濃淡を記録するための濃淡色が含まれていてもよく、一般に言われる墨入れ色であるブラックインク以外のインクが挙げられる。
【００１５】
そして、記録ヘッド１３，１４，１５，１６は、ブラック用記録ヘッドの下流側に全てのカラー用記録ヘッドが配置されるように、搬送方向Ｘに沿って配列されている。具体的には、記録ヘッド１３，１４，１５，１６は、搬送方向Ｘに沿って順に、ブラック、シアン、マゼンタ、イエローの各色のインクを記録媒体２に対して吐出するように配列されている。この記録ヘッド１３，１４，１５，１６としては、ライン方式のものが好適に用いられており、その吐出面と、搬送ベルト４１の周面とが対向するように配置されている。
【００１６】
図２は、記録ヘッド１３，１４，１５，１６の概略構成を表す下面図であり、各記録ヘッド１３，１４，１５，１６には、インクを吐出する複数の単位ヘッドＵが、搬送方向Ｘに直交する方向に沿うように千鳥状に配列されている。図３及び図４は、単位ヘッドＵに備えられる吐出口ｈの配置を表す説明図である。図３及び図４に示すように、単位ヘッドＵの記録媒体２に対向する吐出面には、Ａ〜Ｄの４列の吐出口ｈが配列されている。これにより、記録媒体２の搬送に応じて、単位ヘッドＵのＡ〜Ｄの各ノズル列は、Ａではａ１列、ａ２列、ａ３列、Ｂではｂ１列、ｂ２列、ｂ３列、Ｃではｃ１列、ｃ２列、ｃ３列、Ｄではｄ１、ｄ２、ｄ３列の順でインクが吐出されるようになっている。Ａ〜Ｄの各列には、吐出口ｈが３個周期で所定のピッチだけ搬送方向Ｘにずれながら、搬送方向Ｘに直交する方向に所定間隔空けて配列されている。そして、Ａ〜Ｄの各列の始点は、Ａ、Ｃ、Ｂ、Ｄの順に、１画素ずつ、搬送方向Ｘに直交する方向にずれるように配置されている。
このように配列された各吐出口ｈからインクを吐出することにより、記録媒体２上に画像を記録することができる。例えば、図３に示すように、「Ｈ」という文字が記録される場合には、「Ｈ」を形成する各行は、それぞれｔ１行においてはＡ列１番目、ｔ２行においてはＣ列１番目、ｔ３行においてはＢ列１番目、ｔ４行においてはＤ列１番目、ｔ５行においてはＡ列２番目、ｔ６行においてはＣ列２番目、ｔ７においてはＢ列２番目の各吐出口ｈからインクが吐出される。また、図４に示すように、複数の単位ヘッドＵによって文字（例えば「Ｈ」）が記録される場合には、「Ｈ」を形成する各行は、それぞれｔ１行においては図４における下方側の単位ヘッドＵのＢ列の上から１番目、ｔ２行においては下方側の単位ヘッドＵのＤ列の上から１番目、ｔ３行においては図４における上方側の単位ヘッドＵのＡ列の下から１番目、ｔ４行においては上方側の単位ヘッドＵのＣ列の下から１番目、ｔ５行においては上方の単位ヘッドＵのＢ列の下から１番目、ｔ６行においては上方の単位ヘッドＵのＤ列の下から１番目、ｔ７行においては上方の単位ヘッドＵのＡ列の下から２番目の各吐出口ｈからインクが吐出される。
【００１７】
図１に示すように、搬送ベルト４１の上部近傍であって、記録ヘッド１３の下流側には、記録媒体２に着弾したブラックインクに対して光を照射し、ブラックインクを硬化させる第１光照射装置１７が設けられている。また、搬送ベルト４１の上部近傍であって、記録ヘッド１６の下流側には、記録媒体２に着弾したイエローインク、マゼンタインク、シアンインク及びブラックインクに対して光を照射し、これらのインクを硬化させる第２光照射装置１８が設けられている。
【００１８】
第１光照射装置１７及び第２光照射装置１８には、図２に示すように、光を照射する複数の光源Ｌが、搬送方向Ｘに直交する方向に沿って千鳥状に配列され、複数の単位ヘッドＵのそれぞれに対応している。光源Ｌとしては、特に限定されないが、例えば、紫外線を発生させる発光ダイオード（ｌｉｇｈｔ  ｅｍｉｔｔｉｎｇ  ｄｉｏｄｅ：ＬＥＤ）を搬送ベルト４１の全幅にわたって配列したＬＥＤアレイを用いることが好ましい。
【００１９】
ここで、第１光照射装置１７での光照射は、その上流側に配置される記録ヘッド１３から吐出され、記録媒体２上に着弾したブラックインクが、所定のドット径を保つことができる程度に、インクのドット表面を硬化させる光量で行われるようになっている。一方、第２光照射装置１８での光照射は、記録媒体２上に着弾したブラックインク及びカラーインクを完全に硬化させることのできる光量で行われるようになっている。
【００２０】
ここで、カラー画像を再現する際には、ブラックインクよりもカラーインクの吐出量が相対的に多く、その分カラーインクを硬化させるには、ブラックインクの硬化に必要な光エネルギーよりも大きな光エネルギーの光を照射しなければならない。このため、第２光照射装置１８の方が第１光照射装置１７よりも大きい光エネルギーの光を照射するようになっている。なお、第１光照射装置１７及び第２光照射装置１８の光エネルギーの設定は、光エネルギーを可変とする光照射装置の場合、制御装置によって上記関係になるように、第１光照射装置１７及び第２光照射装置１８を制御することにより行う。例えば光源Ｌが上記のようにＬＥＤの場合には電流値を制御して光エネルギーを制御し、光源Ｌが蛍光管の場合には電圧値を制御して光エネルギーを制御する。一方、光エネルギーを不変とする光照射装置、つまり固定された光エネルギーでしか光を照射できない光照射装置の場合には、予め上記関係に当てはまるように、光エネルギーの異なる複数の光照射装置を配列する。
【００２１】
なお、本実施形態で使用するインクは、光を照射することで硬化するインク、特に紫外線を照射することにより硬化する紫外線硬化型インクである。紫外線硬化型インクは、重合性化合物として、ラジカル重合性化合物を含むラジカル重合系インクとカチオン重合性化合物を含むカチオン重合系インクとに大別されるが、その両系のインクが本実施形態に用いられるインクとしてそれぞれ適用可能であり、ラジカル重合系インクとカチオン重合系インクとを複合させたハイブリッド型インクを本実施形態に用いられるインクとして適用してもよい。
【００２２】
図５は本実施形態における画像記録装置１を制御するための制御装置を示したものであり、この制御装置は、例えば、ＣＰＵ、ＲＯＭ、ＲＡＭ（いずれも図示せず）からなり、ＲＯＭに記録された処理プログラムをＲＡＭに展開してＣＰＵによりこの処理プログラムを実行する制御部３０を有している。
【００２３】
制御部３０には、画像記録装置に送られた画像情報を受け取る画像データ入出力Ｉ／Ｆ（インターフェース）３１と、転送された画像データをページ単位で圧縮して記憶し、さらに圧縮された画像データを伸張して記憶する圧縮・伸張部３２とが設けられている。ここでの圧縮・伸張手段としては、公知のＪＰＥＧ、ＪＰＥＧ２０００、ＪＢＩＧ等が用いられる。さらに、制御部３０には、使用者が出力枚数、部数等の操作入力を行う操作部３３、得られた画像データを、画像出力形式に適応するように変換する画像処理部３４及び画像処理部３４で変換された画像データを画像記録ユニット５０の画像記録部５１へ出力する画像記録信号出力Ｉ／Ｆ３５が設けられている。また、制御部３０には、デジタルカメラなどの撮影装置にて撮影して得られた画像や他の読取装置で読み取った画像データを取り込んだり、外部の機器からの命令による画像記録を行う外部Ｉ／Ｆ及びプリントコントローラ３６が設けられている。さらに、制御部３０には、操作部３３および前記画像情報にしたがって、画像処理部３４、画像記録信号出力Ｉ／Ｆ３５および外部Ｉ／Ｆ及びプリントコントローラ３６の動作を制御する全体制御部（Ｍ−ＣＰＵ）３７が設けられている。
【００２４】
画像記録ユニット５０には、画像記録信号出力Ｉ／Ｆ３５からの信号にしたがい画像記録を行う画像記録部５１と、搬送ローラ１１及び張設ローラ４２を動作させる搬送機構５２と、画像記録部５１からの制御信号にしたがって第１光照射装置１７及び第２光照射装置１８の出力を制御する光源制御部５３と、これら各構成の動作を制御する画像記録制御部（Ｓ−ＣＰＵ）５４とが設けられている。
【００２５】
図６は、画像記録部５１の構成を詳細に示したブロック図であり、この画像記録部５１には、画像記録信号出力Ｉ／Ｆ３５から送られる各色信号を格納するために各色毎に設けられた複数のバッファメモリおよび各バッファメモリからの出力を制御するバッファメモリ制御回路からなる色信号メモリ５７、前記バッファメモリ制御回路からの制御にしたがって出力される色信号に基づいて各記録ヘッド１３，１４，１５，１６における単位ヘッドＵのインク吐出動作を駆動制御する記録ヘッド駆動回路５８が設けられている。
【００２６】
次に、本実施形態の作用について説明する。
まず、通常画像作成時における作用について説明する。操作部３３から画像作成の指示が入力されて、画像記録装置１に画像情報が送られると、図５に示したように、送られた画像情報は、制御部３０の全体制御部３７に送られるほか、画像データ入出力Ｉ／Ｆ３１から画像処理部３４にも送られる。なお、画像情報は、外部装置などから外部Ｉ／Ｆ及びプリントコントローラ３６を通じても全体制御部３７に送られる。
【００２７】
全体制御部３７は、画像情報が送られたときに制御部３０の各構成の動作を開始させる。なお、この動作開始のタイミングであるが、画像情報が入力されたときに限らず、操作部３３からの使用者による操作入力、又は外部Ｉ／Ｆ及びプリントコントローラ３６を通じての外部装置からの操作入力があったときであってもよい。
【００２８】
画像処理部３４では、画像情報が画像出力形式に適応するように、すなわち光硬化型インクを用いた画像記録装置で画像を記録するのに最適となるように、画像処理が施される。画像処理によって各色毎に分けられた色信号からなる画像データは、画像記録信号出力Ｉ／Ｆ３５から画像記録ユニット５０の画像記録部５１に送られる。
なお、画像処理前の画像情報を画像データ入出力Ｉ／Ｆ３１から圧縮・伸張部３２に送って、記憶することもできる。なお、圧縮・伸張部３２は、画像処理部３４から画像データが送られたときに限らず、外部Ｉ／Ｆ及びプリントコントローラ３６を通じての外部装置からの動作開始などの操作入力があったときにも動作する。
【００２９】
一方で、画像記録装置１に画像情報が送られると、画像記録ユニット５０の画像記録制御部５４は、画像記録部５１の色信号メモリ５７に記憶された各色信号に基づいて、搬送機構５２及び光源制御部５３を動作させる。この動作に伴って、記録ヘッド駆動回路５８は、記録ヘッド１３、１４、１５、１６を動作させる。具体的には、搬送機構５２が取出し装置５を動作させて、収容トレイ３に収容された最上位の記録媒体２を取出し、搬送ローラ１１を回転動作させてこの取出された記録媒体２を搬送させる。
【００３０】
そして、記録媒体２の先端部が搬送ベルト４１まで到達したら、押圧ローラ４３が記録媒体２の先端部を搬送ベルト４１の周面に押圧して保持させる。搬送ベルト４１は張設ローラ４２によって回転しているので、その回転に伴って記録媒体２は搬送される。記録媒体２が記録ヘッド１３の位置まで送られると、記録媒体２に対して、記録ヘッド１３からブラックインクを吐出させ、その直後に第１光照射装置１７からブラックインクに光を照射してブラックインクを硬化させる。その後、記録媒体２に向けて記録ヘッド１４からシアンインクを、記録ヘッド１５からマゼンタインクを、記録ヘッド１６からイエローインクを順次吐出させる。その後、第２光照射装置１８により記録媒体２に着弾したインク全てを完全に硬化させる。
【００３１】
完全硬化後、記録媒体２の先端部が、搬送ベルト４１の周面から離隔されると、記録媒体２は、搬送ローラ１１により搬送されて、排出トレイ９に排出される。
【００３２】
以上のように、本実施形態の画像記録装置１によれば、第１光照射装置１７が、ブラック用記録ヘッド（記録ヘッド１３）の下流側に配置されているので、記録媒体２上に着弾したブラックインクは、カラーインクが吐出される以前に第１光照射装置１７によって光が照射され、硬化させられる。そして、第２光照射装置１８が全てのカラー用記録ヘッド（記録ヘッド１４，１５，１６）のうち、最下流に位置するカラー用記録ヘッド（記録ヘッド１６）の下流側に配置されているので、ブラックインクの硬化後に記録媒体２上に着弾したカラーインクは、第２光照射装置１８によって光が照射され、硬化させられる。したがって、カラーインクとブラックインクとのそれぞれが混色することなく硬化することになり、ブラックインクにより印字された文字の画質を高めることができる。
そして、第２光照射装置１８の方が、第１光照射装置１７よりも大きい光エネルギーの光を照射するようになっているので、カラーインクを確実に硬化させることができる。
なお、本発明は上記実施の形態に限らず適宜変更可能であるのは勿論である。
【００３３】
【発明の効果】
請求項１記載の発明によれば、記録媒体上に着弾したブラックインクは、カラーインクが吐出される以前に第１光照射装置によって光が照射され、硬化させられる。そして、ブラックインクの硬化後に記録媒体上に着弾したカラーインクは、第２光照射装置によって光が照射され、硬化させられる。したがって、カラーインクとブラックインクとのそれぞれが混色することなく硬化することになり、ブラックインクにより印字された文字の画質を高めることができる。
【００３４】
請求項２記載の発明によれば、第２光照射装置の方が、第１光照射装置よりも大きい光エネルギーの光を照射するようになっているので、カラーインクを確実に硬化させることができる。
【図面の簡単な説明】
【図１】本実施形態における画像記録装置の概略構成を表す概略図である。
【図２】図１の画像記録装置に備わる記録ヘッド及び光照射装置を表す上面図である。
【図３】図２の記録ヘッドに備わる単位ヘッドの吐出口を表す底面図である。
【図４】図２の記録ヘッドに備わる複数の単位ヘッドの吐出口を表す底面図である。
【図５】図１の画像記録装置の主制御部分を表すブロック図である。
【図６】図５の画像形成部の構成を表すブロック図である。
【符号の説明】
１      画像記録装置
２      記録媒体
４      搬送装置
１３      記録ヘッド（ブラック用記録ヘッド）
１４，１５，１６      記録ヘッド（カラー用記録ヘッド）
１７      第１光照射装置
１８      第２光照射装置
Ｕ      単位ヘッド
【図１】
2004284309.tif 000003
【図２】
2004284309.tif 000004
【図３】
2004284309.tif 000005
【図４】
2004284309.tif 000006
【図５】
2004284309.tif 000007
【図６】
2004284309.tif 000008